(57)【要約】【課題】眼鏡或いは携帯電話とメモ用紙、更に筆記用具をまとめて収納できるケースで、肩掛け部材の使用により安定した平面が出来て、立位姿勢の状態でも片手だけで文字が書ける画板機能を持つ眼鏡或いは携帯電話等のケースを提供する。【解決手段】肩掛け部材を設けた、眼鏡成いは携帯電話と更にメモ用紙と筆記用具を収納できるケースで、肩掛け部材の使用でメモ用紙が平面で安定した状態になるように構成されたことを特徴とする。【選択図】  図１
2004249035.tif 000002
【特許請求の範囲】
【請求項１】
固定或いは着脱自在の肩掛け部材を有する、画板機能を持つ眼鏡や携帯電話等のケースで、眼鏡や携帯電話の落下防止の蓋を設けた眼鏡や携帯電話ホルダーと、眼鏡や携帯電話ホルダーの内外を問わず本体ケースの一部分に設けたペンホルダー、更に眼鏡や携帯電話ホルダーの外側の一部分に設けたメモ用紙ホルダーとこれを覆う表紙とから構成され、首に掛けた肩掛け部材の一部を、表紙を開いてできる凹部又は別に設けたフックに引っ掛けることで、メモ用紙を押さえなくても画板のように安定して片手だけで文字が書ける画板機能を持つ眼鏡や携帯電話等のケース。
【発明の詳細な説明】
【０００１】
【発明の属する技術分野】
本発明は、蓋付きの眼鏡や携帯電話ホルダーと、ペンホルダー及びメモ用紙ホルダー等を備えた、首から掛ける肩掛け部材の作用で、画板式に使える画板機能を持つ眼鏡や携帯電話等のケース。
【０００２】
【従来の技術】
従来、眼鏡や携帯電話のケースは眼鏡や携帯電話保護が主目的で、収納ホルダーのみのものが一般的で、吊り下げ部材を有するものもあった。又特開平１１−２３万９５０９、特開２００２−１３６３２６、実開昭６３−１６７９２２、実開昭６３−１６７９２３、実開平０２−１０３３２９、実開平０４−６４２２５、実用登録３０１６７３１等もある。
【０００３】
【発明が解決しようとする課題】
これには次のような欠点があった。
眼鏡ケースは破損防止を重視したものが一般的で、携帯電話ケースは取り出しやすさを追求して衣服への装着機能を付加したものはあるが、メモ機能を重視したものがない。そこでメモをとる時には眼鏡を装着する人は眼鏡とメモ用紙と筆記用具を集めるのに手間取る。そして実際にメモを取る段階では片手でメモ用紙を押さえて反対の手で文字を書くので、外出時など持ち物や携帯電話などで手が塞がっていれば、どこかにメモ用紙を置いてメモしなければならない。本発明は、以上の欠点を解決するためのものである。
【０００４】
【課題を解決するための手段】
肩掛け部材（２）を有する眼鏡や携帯電話のケース（１）本体は、眼鏡や携帯電話を保護する蓋（４）付きの眼鏡や携帯電話ホルダー（３）と、眼鏡や携帯電話ホルダー（３）の内外の何れかに設けたペンホルダー（５）と、眼鏡や携帯電話ホルダー（３）の外側に設けて表紙（７）で覆われるメモ用紙ホルダー（６）とから構成されるものである。メモ書きの時には眼鏡や携帯電話のケース（１）本体を取り出せば、眼鏡（１４）と筆記用具（１５）とメモ用紙（１６）が準備できて、首から掛けた肩掛け部材（２）の一部を表紙を開いてできる凹部（８）または別付けのフック（９）に引っ掛けて使用することで画板状態になり、筆記用具（１５）を保持する片手だけで文字が書けるように構成されたが画板機能を持つ眼鏡や携帯電話等のケース（１）を提供する。
【０００５】
【発明の実施の形態】
以下、本発明の第一実施の形態を図１から図１０をもちいて説明する。
本発明は、肩掛け部材（２）を設けた画板機能を持つ眼鏡や携帯電話等のケース（１）である。眼鏡を装着する人がメモ書きをする時、眼鏡（１４）とメモ用紙（１６）そして筆記用具（１５）の準備が急務である。外出時などバッグの中からそれ等を取り出して、急いでメモしようにもメモ用紙（１６）を保持する手と筆記用具（１５）を持つ手、更に携帯電話などを保持するとなればどこかにメモ用紙（１６）を置かない限りメモが出来ないことになる。
そんな場合でも肩掛け部材（２）を使用すれば、蓋（４）を開いて眼鏡（１４）を取り出し、表紙（７）を開いてメモ用紙（１６）を上向きにし、眼鏡や携帯電話のケースの凹部（８）及びフック（９）に肩掛け部材（２）の一部分をひっかけると図７のように画板の形態になる。
【０００６】
以下、本発明の第二の実施の形態について図１、図４を利用して説明する。
本発明は、画板機能を持つ眼鏡や携帯電話等のケース（１）本体に、ループ（１０）を設けて肩掛け部材（２）を着脱式に設ける方法と、ループ無しで固定式に設ける方法がある。
【０００７】
その他の事例について、図１、図４をもちいて説明する。
メモ用紙（１６）を使用しない時は、表紙（７）を閉じて図４のように固定する。その方法としては図１のように表紙固定ベルト（１２）と表紙（７）の表側に一対の止め具（１１）を設ける方法と、図２のようにメモ用ホルダー脇と表紙の内側に直接一対の止め具（１１）を設ける方法がある。
【０００８】
図１のように表紙（７）の内側（１７）とメモ用紙ホルダー面上に複数のカードホルダー（１３）を設けることも出来る。同様に表紙（７）の表側（１８）や本体ケースの斜視図の底面にあたる面にもカードホルダーを設けることが出来る。
【０００９】
図４のようにペンホルダー（５）を眼鏡や携帯電話ホルダー（３）の外側に設けたり、図１のように内側に設けることも出来る。
【００１０】
図１、図２のように眼鏡や携帯電話のケース（１）本体に凹部が生ずる形状のものはその凹部に、又図３のように凹部が生じない形状の場合にはフック（９）設けて、肩掛け部材をひっかける。
【００１１】
本発明の画板機能を持つ眼鏡や携帯電話等のケース（１）の他に、バインダーに肩掛け部材を設けて、バインダーの一部に本発明ケースの機能を付加する構造も可能である。
【００１２】
以上、各実施の形態を説明したが、本発明はこれら実施の条件に限定されるものではない。
【００１３】
【発明の効果】
以上のように、本発明は眼鏡や携帯電話ケース（１）を準備することで、眼鏡（１４）或いは携帯電話とメモ用紙（１６）更に筆記用具（１５）の三点或いは四点を同時に準備できる効果がある。
【００１４】
首に掛けた肩掛け部材（２）の作用で、片手のみで文字が書ける安定した平面を作り出せ、文字を書きやすくする効果がある。
【００１５】
本発明品は眼鏡やメモ用紙また筆記用具が常にセットになっているので、外出の時だけに限らず、家にいるときでも便利性という効果が生まれる。
【図面の簡単な説明】
【図１】本発明の斜視図
【図２】本発明の斜視図
【図３】本発明の斜視図
【図４】本発明の斜視図
【図５】本発明のＡ〜Ａ′の断面図
【図６】本発明のＢ〜Ｂ′の断面図
【図７】本発明の凹部に肩掛け部材を引っ掛ける状態の斜視図
【図８】バインダーに肩掛け部材を設けて、本発明のケースが持つ機能を付加したものの斜視図である。
【図９】ペンホルダーを眼鏡或いは携帯電話ホルダーの外側に設けた状態の斜視図である。
【図１０】本体ケースの斜視図の底面に複数のカードホルダーを設けた状態の斜視図である。
【符号の説明】
１．  画板機能を持つ眼鏡或いは携帯電話等のケース
２．  肩掛け部材
３．  眼鏡或いは携帯電話ホルダー
４．  蓋
５．  ペンホルダー
６．  メモ用紙ホルダー
７．  表紙
８．  凹部
９．  フック
１０．ループ
１１．止め具
１２．表紙固定ベルト
１３．カードホルダー
１４．眼鏡
１５．筆記用具
１６．メモ用紙
１７．表紙の内側
１８．表紙の外側
１９．バインダー
【図１】
2004249035.tif 000003
【図２】
2004249035.tif 000004
【図３】
2004249035.tif 000005
【図４】
2004249035.tif 000006
【図５】
2004249035.tif 000007
【図６】
2004249035.tif 000008
【図７】
2004249035.tif 000009
【図８】
2004249035.tif 000010
【図９】
2004249035.tif 000011
【図１０】
2004249035.tif 000012